(57)【要約】【課題】配信された情報に利用者が満足できず、さらに関連情報が知りたい場合、利用者が利用する情報検索装置に、その情報が十分に引き継がれていなかった。【解決手段】コンテンツを選別する条件を保持する情報配信コンテンツ条件保持部２と、提供コンテンツ母集団が記録されたコンテンツ記録部３と、コンテンツ表示部４１と、情報配信コンテンツ条件保持部に格納された条件に従って、コンテンツを複数選別し、コンテンツ表示部に送信する情報配信コンテンツ選別部１と、コンテンツ表示部に提示されたコンテンツ群の中から、利用者の選択行為を認定する選択肢選択部４２と、利用者の選択行為から配信情報の肯定、否定を判断する配信情報肯定・否定判断部５と、検索条件を入力する検索条件入力部４３と、配信情報肯定・否定判断部の判断結果と、入力された検索条件とを考慮して、提供コンテンツ母集団を検索する情報検索コンテンツ選別部７と、を備える。【選択図】図１
2009134557.tif 000002
【特許請求の範囲】
【請求項１】
コンテンツを選別するための条件を保持する情報配信コンテンツ条件保持部と、
提供コンテンツ母集団が記録されたコンテンツ記録部と、
コンテンツ群を表示するコンテンツ表示部と、
前記情報配信コンテンツ条件保持部に格納された条件に従って、前記コンテンツ記録部からコンテンツを複数選別し、前記コンテンツ表示部に送信する情報配信コンテンツ選別部と、
利用者のコンテンツの選択行為から配信情報の肯定、否定を判断する配信情報肯定・否定判断部と、
前記配信情報肯定・否定判断部の肯定、否定の判断結果に基づいて提供コンテンツ母集団の範囲をそれぞれ限定して提供コンテンツ母集団を検索する情報検索コンテンツ選別部と、
を備えることを特徴とする情報配信・情報検索連携装置。
【請求項２】
コンテンツを選別するための条件を保持する情報配信コンテンツ条件保持部と、
提供コンテンツ母集団が記録されたコンテンツ記録部と、
コンテンツ群を表示するコンテンツ表示部と、
前記情報配信コンテンツ条件保持部に格納された条件に従って、前記コンテンツ記録部からコンテンツを複数選別し、前記コンテンツ表示部に送信する情報配信コンテンツ選別部と、
前記コンテンツ表示部に提示されたコンテンツ群の中から、利用者の選択行為を認定する選択肢選択部と、
認定された利用者の選択行為から配信情報の肯定、否定を判断する配信情報肯定・否定判断部と、
検索条件を入力する検索条件入力部と、
前記配信情報肯定・否定判断部の肯定、否定の判断結果と、前記検索条件入力部を通して入力された検索条件とを考慮して、提供コンテンツ母集団を検索する情報検索コンテンツ選別部と、
を備えることを特徴とする情報配信・情報検索連携装置。
【請求項３】
請求項２に記載の情報配信・情報検索連携装置において、
前記配信情報肯定・否定判断部は、配信情報が肯定されている場合は、肯定された配信情報の選別条件を前記情報検索コンテンツ選別部に送信し、配信情報が否定されている場合は、否定された配信情報の選別条件を前記前記情報検索コンテンツ選別部に送信し、
前記情報検索コンテンツ選別部は、肯定された配信情報の選別条件を受信した場合は、その選別条件を用いてコンテンツを限定するとともに、前記検索条件入力部を通して入力された検索条件を考慮して、前記提供コンテンツ母集団を検索し、否定された配信情報の選別条件を受信した場合は、その選別条件以外の選別条件を用いてコンテンツを限定するとともに、前記検索条件入力部を通して入力された検索条件とを考慮して、前記提供コンテンツ母集団を検索することを特徴とする情報配信・情報検索連携装置。
【請求項４】
コンテンツを選別するための条件に基づいて、提供コンテンツ母集団を記録するコンテンツ記録部からコンテンツを複数選別して、コンテンツ群を表示するコンテンツ表示部に送信し、
利用者のコンテンツの選択行為から配信情報の肯定、否定を判断し、肯定、否定の判断結果に基づいて提供コンテンツ母集団の範囲をそれぞれ限定して提供コンテンツ母集団を検索することを特徴とする情報配信・情報検索連携装置の情報配信・情報検索方法。
【請求項５】
コンテンツを選別するための条件に基づいて、提供コンテンツ母集団を記録するコンテンツ記録部からコンテンツを複数選別して、コンテンツ群を表示するコンテンツ表示部に送信し、
前記コンテンツ表示部に提示されたコンテンツ群の中から、利用者の選択行為を認定し、その利用者の選択行為から配信情報の肯定、否定を判断し、
配信情報の肯定、否定を判断した判断結果と、利用者が検索条件を入力する検索条件入力部を通して入力された検索条件とを考慮して、提供コンテンツ母集団を検索することを特徴とする情報配信・情報検索連携装置の情報配信・情報検索方法。
【請求項６】
請求項５に記載の情報配信・情報検索方法において、
前記配信情報が肯定されている場合は、肯定された配信情報の選別条件を用いてコンテンツを限定するとともに、検索条件入力部を通して入力された検索条件を考慮して、前記提供コンテンツ母集団を検索し、
前記配信情報が否定されている場合は、否定された配信情報の選別条件以外の選別条件を用いてコンテンツを限定するとともに、検索条件入力部を通して入力された検索条件を考慮して、前記提供コンテンツ母集団を検索することを特徴とする情報配信・情報検索方法。
【請求項７】
コンピュータに、
コンテンツを選別するための条件に基づいて、提供コンテンツ母集団を記録するコンテンツ記録部からコンテンツを複数選別して、コンテンツ群を表示するコンテンツ表示部に送信する手順と、
利用者のコンテンツの選択行為から配信情報の肯定、否定を判断し、肯定、否定の判断結果に基づいて提供コンテンツ母集団の範囲をそれぞれ限定して提供コンテンツ母集団を検索する手順と、を実行させる情報配信・情報検索用プログラム。
【請求項８】
コンピュータに、
コンテンツを選別するための条件に基づいて、提供コンテンツ母集団を記録するコンテンツ記録部からコンテンツを複数選別して、コンテンツ群を表示するコンテンツ表示部に送信する手順と、
前記コンテンツ表示部に提示されたコンテンツ群の中から、利用者の選択行為を認定し、その利用者の選択行為から配信情報の肯定、否定を判断する手順と、
配信情報の肯定、否定を判断した判断結果と、利用者が検索条件を入力する検索条件入力部を通して入力された検索条件とを考慮して、提供コンテンツ母集団を検索する手順と、を実行させる情報配信・情報検索用プログラム。
【請求項９】
請求項８に記載の情報配信・情報検索用プログラムにおいて、
前記提供コンテンツ母集団を検索する手順は、
前記配信情報が肯定されている場合は、肯定された配信情報の選別条件を用いてコンテンツを限定するとともに、検索条件入力部を通して入力された検索条件を考慮して、前記提供コンテンツ母集団を検索し、
前記配信情報が否定されている場合は、否定された配信情報の選別条件以外の選別条件を用いてコンテンツを限定するとともに、検索条件入力部を通して入力された検索条件を考慮して、前記提供コンテンツ母集団を検索することを特徴とする情報配信・情報検索用プログラム。
【発明の詳細な説明】
【技術分野】
【０００１】
本発明は、情報配信・情報検索連携装置、情報配信・情報検索方法及び情報配信・情報検索用プログラムに係わり、特にシステム側から利用者に情報を配信する装置と、利用者側からの入力に応じて利用者がシステムから情報を検索する情報を検索する装置との情報の連携に関する。
【背景技術】
【０００２】
従来、利用者に情報を提供する場合、システム側から利用者に情報を配信する情報配信装置と、利用者側がシステムに文字列等を入力してその入力に応じてシステムから情報を検索する情報検索装置とが知られている。
【０００３】
本発明に関連する技術としては、特許文献１には、前回の検索条件（プロファイル）によって検索された検索結果文書のうち、ユーザが「所望である」という評価を入力した文書に含まれる文字列であって、前回の検索条件に含まれていない文字列を抽出し、この文字列に高い重みを付けて修正した検索条件を生成し、その生成された検索条件により文書検索を行う文書検索システムの記載がある。また、特許文献２には、記憶された情報検索データを分析して、過去のユーザの情報検索行動からデータの関連性を自動的に学習し、その学習を利用して将来の検索行動を容易にすることの記載がある。特許文献３には、例示された検索したい情報を格納する肯定例ＤＢと、検索する必要のないと例示された情報を格納する否定例ＤＢを設け、肯定例ＤＢの内容に近ければ検索、否定例ＤＢの内容に近ければ検索しないことの記載がある。
【特許文献１】特開２００５−０８４９４３号公報（段落番号［０００６］、［００１５］等）
【特許文献２】特開２００６−２８５９８２号公報（段落番号［０００９］等）
【特許文献３】特開平０５−２０４９７５号公報（段落番号［０００８］等）
【発明の開示】
【発明が解決しようとする課題】
【０００４】
従来は、情報配信装置により配信された情報に利用者が満足できなかったり、さらに関連情報が知りたかったりした場合、利用者が利用する情報検索装置に、その情報が十分に引き継がれていなかった。
【０００５】
すなわち、情報配信装置で配信した情報の根拠となる条件などが情報検索装置に引き継がれていなかったため、前段階に情報配信装置を用いる場合にも、情報配信装置が存在しなかった場合と同じ情報検索しか行われていなかった。
【課題を解決するための手段】
【０００６】
上記の課題を解決するため、本発明の情報配信・情報検索連携装置は、
コンテンツを選別するための条件を保持する情報配信コンテンツ条件保持部と、
提供コンテンツ母集団が記録されたコンテンツ記録部と、
コンテンツ群を表示するコンテンツ表示部と、
前記情報配信コンテンツ条件保持部に格納された条件に従って、前記コンテンツ記録部からコンテンツを複数選別し、前記コンテンツ表示部に送信する情報配信コンテンツ選別部と、
利用者のコンテンツの選択行為から配信情報の肯定、否定を判断する配信情報肯定・否定判断部と、
前記配信情報肯定・否定判断部の肯定、否定の判断結果に基づいて提供コンテンツ母集団の範囲をそれぞれ限定して提供コンテンツ母集団を検索する情報検索コンテンツ選別部と、
を備えることを特徴とする。
【０００７】
また本発明の情報配信・情報検索連携装置は、
コンテンツを選別するための条件を保持する情報配信コンテンツ条件保持部と、
提供コンテンツ母集団が記録されたコンテンツ記録部と、
コンテンツ群を表示するコンテンツ表示部と、
前記情報配信コンテンツ条件保持部に格納された条件に従って、前記コンテンツ記録部からコンテンツを複数選別し、前記コンテンツ表示部に送信する情報配信コンテンツ選別部と、
前記コンテンツ表示部に提示されたコンテンツ群の中から、利用者の選択行為を認定する選択肢選択部と、
認定された利用者の選択行為から配信情報の肯定、否定を判断する配信情報肯定・否定判断部と、
検索条件を入力する検索条件入力部と、
前記配信情報肯定・否定判断部の肯定、否定の判断結果と、前記検索条件入力部を通して入力された検索条件とを考慮して、提供コンテンツ母集団を検索する情報検索コンテンツ選別部と、
を備えることを特徴とする。
【０００８】
本発明の情報配信・情報検索連携装置の情報配信・情報検索方法は、
コンテンツを選別するための条件に基づいて、提供コンテンツ母集団を記録するコンテンツ記録部からコンテンツを複数選別して、コンテンツ群を表示するコンテンツ表示部に送信し、
利用者のコンテンツの選択行為から配信情報の肯定、否定を判断し、肯定、否定の判断結果に基づいて提供コンテンツ母集団の範囲をそれぞれ限定して提供コンテンツ母集団を検索することを特徴とする。
【０００９】
また本発明の情報配信・情報検索連携装置の情報配信・情報検索方法は、
コンテンツを選別するための条件に基づいて、提供コンテンツ母集団を記録するコンテンツ記録部からコンテンツを複数選別して、コンテンツ群を表示するコンテンツ表示部に送信し、
前記コンテンツ表示部に提示されたコンテンツ群の中から、利用者の選択行為を認定し、その利用者の選択行為から配信情報の肯定、否定を判断し、
配信情報の肯定、否定を判断した判断結果と、利用者が検索条件を入力する検索条件入力部を通して入力された検索条件とを考慮して、提供コンテンツ母集団を検索することを特徴とする。
【００１０】
本発明の情報配信・情報検索用プログラムは、
コンピュータに、
コンテンツを選別するための条件に基づいて、提供コンテンツ母集団を記録するコンテンツ記録部からコンテンツを複数選別して、コンテンツ群を表示するコンテンツ表示部に送信する手順と、
利用者のコンテンツの選択行為から配信情報の肯定、否定を判断し、肯定、否定の判断結果に基づいて提供コンテンツ母集団の範囲をそれぞれ限定して提供コンテンツ母集団を検索する手順と、を実行させる情報配信・情報検索用プログラムである。
【００１１】
また本発明の情報配信・情報検索用プログラムは、
コンピュータに、
コンテンツを選別するための条件に基づいて、提供コンテンツ母集団を記録するコンテンツ記録部からコンテンツを複数選別して、コンテンツ群を表示するコンテンツ表示部に送信する手順と、
前記コンテンツ表示部に提示されたコンテンツ群の中から、利用者の選択行為を認定し、その利用者の選択行為から配信情報の肯定、否定を判断する手順と、
配信情報の肯定、否定を判断した判断結果と、利用者が検索条件を入力する検索条件入力部を通して入力された検索条件とを考慮して、提供コンテンツ母集団を検索する手順と、を実行させる情報配信・情報検索用プログラムである。
【００１２】
なお、本願において、コンテンツとは、文章、音楽、画像、映像、データベース等の情報、またはそれらを組み合わせた情報をいう。
【発明の効果】
【００１３】
本発明の情報配信・情報検索連携装置によれば、配信された情報に利用者が満足できなくて情報検索を利用しようとしている場合と、配信された情報に利用者が満足し、さらに関連情報を得ようとしている場合とを区別でき、その場合に応じて、配信した情報の根拠となる条件を、情報配信部から情報検索部に引き継ぎ、情報検索部ではその条件の下で情報検索を行うことができる。このため、情報検索による絞込みやランキングがより効率的に行えるという効果がある。
【発明を実施するための最良の形態】
【００１４】
本発明の実施の形態について図を参照しながら説明する。
【００１５】
図１は本発明の情報配信情報検索連携装置の一実施の形態を示すブロック図である。図３はその動作を示すフローチャートである。
【００１６】
情報配信コンテンツ条件保持部２は、情報配信する際に、コンテンツを選別するための条件を保持している。この場合の条件としては、コンテンツのジャンル、キーワードなどがあるが、条件はこれらに限定されるものではない。これらの情報配信コンテンツ条件は利用者が入力しても、予め設定されていてもよい。ここでは、提供コンテンツ母集団には、映画、マンガ、テレビドラマ、音楽ライブが含まれているとして説明する。コンテンツ選別するための条件としては、例えば、ジャンルとして映画，マンガ，テレビドラマ，音楽ライブがある。キーワードとして、監督名，著者名，作者名，登場人物等の人名、映画，マンガ，テレビドラマの題名があるが、ここでは、条件として、人名「鈴木  太郎」、ジャンル「映画」の二つの条件で選別された場合を取り上げる。
【００１７】
情報配信コンテンツ選別部１は、情報配信コンテンツ条件保持部２に格納された条件に従って、記録部に記録された提供コンテンツ母集団３からコンテンツを複数選別し、コンテンツ表示部４１に送信する（図３のステップＳ２１）。人名「鈴木  太郎」、ジャンル「映画」の条件に従ってコンテンツを選別して、コンテンツ１（題名：○○恋愛シリーズ）、コンテンツ２（題名：△○恋愛シリーズ）、コンテンツ３（題名：○○の冒険）、コンテンツ４（題名：△△の冒険），コンテンツ５（題名：××ミステリーシリーズ）が選別されたとする。
【００１８】
コンテンツ表示部４１は受信したコンテンツ群を利用者に提示する（図３のステップＳ２２）。この際、情報配信されたコンテンツのそれぞれが選別されるときの条件を、情報配信コンテンツ選別条件保持部９に送信し、情報配信コンテンツ選別条件保持部９はそれを保持する。この条件は映画の中で「鈴木  太郎」and（「恋愛」or「冒険」or「ミステリー」）の選別条件が保持される。
【００１９】
ここで、説明を明確にするため、情報配信されたコンテンツのあるひとつの選択肢の選別条件をＡとし、情報配信されたコンテンツの選択肢全体の選別条件の集合をＢとする。条件Ａは、条件集合Ｂの一部分である。ここでは、Ａが「鈴木  太郎」and「恋愛」、Ｂが「鈴木  太郎」and（「恋愛」or「冒険」or「ミステリー」）であるとする。
【００２０】
利用者は、情報配信されコンテンツ表示部４１に提示されたコンテンツ群の中から、１つを選んで内容を閲覧する。ここではコンテンツ１を閲覧する。
【００２１】
この利用者の行為の情報は、選択肢選択部４２によって認定される（図３のステップＳ２３）。この状態で、利用者がさらに情報を求めて、検索条件入力部４３に検索条件を入力した場合、選択肢選択部４２から配信情報肯定・否定判断部５に対して、利用者が条件Ａで選別された選択肢を選択した状態で情報検索を行っている、という情報が通知される。
【００２２】
この場合には、配信情報肯定・否定判断部５は、利用者が、情報配信された選択肢のうちの特定の一つを肯定していると判断し（図３のステップＳ２４）、情報配信コンテンツ選別条件保持部９から、当該の選択肢の選別条件を得る。
【００２３】
すなわちこの場合、配信情報肯定・否定判断部５は、情報配信コンテンツ選別条件保持部９から、条件Ａを得る。具体的には、利用者の選択肢の選別条件が「鈴木  太郎」and 「恋愛」であることが条件Ａとして得られる。なお、選択肢選択部４２からの情報により条件Ａ、Ｂが特定可能な場合には必ずしも情報配信コンテンツ選別条件保持部９を設けなくともよい。
【００２４】
配信情報肯定・否定判断部５は、選択された選択肢の選別条件Ａと、その選別条件Ａが肯定されているという情報を、配信コンテンツ条件伝達部６に送信する。
【００２５】
配信コンテンツ条件伝達部６は、選別条件Ａを検索における肯定条件として、情報検索コンテンツ選別部７に送信する。なお、配信コンテンツ条件伝達部６を設けず、配信情報肯定・否定判断部５から直接、選択された選択肢の選別条件Ａと、その選別条件Ａが肯定されているという情報を、情報検索コンテンツ選別部７に送信してもよい。
【００２６】
情報検索コンテンツ選別部７は、検索条件入力部４３を通して利用者から入力された検索条件と、配信コンテンツ条件伝達部６から送信されてきた選別条件Ａとの両方を考慮して、提供コンテンツ母集団３を検索する（図３のステップＳ２５）。
【００２７】
ここで述べている例の場合、条件Ａが肯定されているので、情報検索コンテンツ選別部７は、条件Ａで提供コンテンツ母集団３のコンテンツ集合を限定し、その中から、利用者から入力された検索条件に合致するコンテンツを選択し、その結果をコンテンツ表示部４１に送信する。コンテンツ表示部４１はその結果を利用者に表示する（図３のステップＳ２６）。ここでは利用者は検索条件として映画の配給年度として「2000年」を入力したとする。この場合、条件Ａと検索条件「2000年」に基づいて検索が行われる。ここでは、コンテンツ１の「○○恋愛シリーズ」の中から、２０００年に配給された映画が検索され、それがコンテンツ表示部４１に表示される。
【００２８】
一方、利用者が、情報配信コンテンツ選別部１によって選別され情報配信されコンテンツ表示部４１に提示されたコンテンツ群の全てに不満足である場合も存在する。
【００２９】
この場合、利用者は、情報配信されたコンテンツを一つも閲覧せず、情報配信されたコンテンツ以外の情報を求めて、検索条件入力部４３に検索条件を入力する。ここでは人名「鈴木  太郎」の条件が入力された場合を取り上げる。
【００３０】
この場合、選択肢選択部４２から配信情報肯定・否定判断部５に対して、利用者が配信された選択肢をひとつも選択しない状態で情報検索を行っている、という情報が通知される。この場合には、配信情報肯定・否定判断部５は、利用者が、情報配信された選択肢の条件を否定していると判断し、情報配信コンテンツ選別条件保持部９から、情報配信されたコンテンツ群の選別条件を得る。
【００３１】
すなわちこの場合、配信情報肯定・否定判断部５は、情報配信コンテンツ選別条件保持部９から、条件Ｂを得る。条件Ｂは、「鈴木  太郎」and（「恋愛」or「冒険」or「ミステリー」）である。
【００３２】
配信情報肯定・否定判断部５は、選別条件Ｂと、その選別条件Ｂが否定されているという情報を、配信コンテンツ条件伝達部６に送信する。なお、配信コンテンツ条件伝達部６を設けず、配信情報肯定・否定判断部５から直接、選択された選択肢の選別条件Ｂと、その選別条件Ｂが否定されているという情報を、情報検索コンテンツ選別部７に送信してもよい。
【００３３】
情報検索コンテンツ選別部７は、検索条件入力部４３を通して利用者から入力された検索条件と、配信コンテンツ条件伝達部６から送信されてきた選別条件との両方を考慮して、提供コンテンツ母集団３を検索する（図３のステップＳ２７）。
【００３４】
ここで述べている例の場合、条件Ｂが否定されているので、情報検索コンテンツ選別部７は、条件Ｂ以外で提供コンテンツ母集団３のコンテンツ集合を限定し、その中から、利用者から入力された検索条件に合致するコンテンツを選択し、その結果をコンテンツ表示部４１に送信する。コンテンツ表示部４１はその結果を利用者に表示する（図３のステップＳ２８）。
【００３５】
ここでは利用者は検索条件として「鈴木  太郎」の条件を入力しているので、条件Ｂと検索条件「鈴木  太郎」に基づいて検索が行われる。すなわち、コンテンツ１〜５を除外し、マンガ、テレビドラマ、音楽ライブのジャンルから「鈴木  太郎」が監督名，作者名，登場人物，歌手等に該当するコンテンツが検索され、それがコンテンツ表示部４１に表示される。
【００３６】
図２に示すように、情報配信装置で配信された情報に対する利用者の反応は次の２種類に大別できる。
（１）肯定型情報検索移行：
情報配信装置で配信された情報のひとつに興味をもち、内容を閲覧し、さらにそれに関連する情報を取得するために、情報検索装置に移行して情報検索を行う。図２ではコンテンツ１〜５のうち、コンテンツ１を選択し、コンテンツ１の詳細情報を得るために情報検索に移行する。
（２）否定型情報検索移行：
情報配信装置で配信された情報のどれにも興味がなく、内容を閲覧することのないまま、別の情報を取得するために、情報検索装置に移行して情報検索を行う。図２ではコンテンツ１〜５のすべてが否定されているので、これらのコンテンツ１〜５を除外して他の情報（コンテンツ）を得るために、情報検索に移行する。
【００３７】
前記肯定型情報検索移行の場合、情報配信装置で配信された情報コンテンツの中で、利用者が閲覧した情報コンテンツの条件（ジャンル、キーワードなど）は利用者に受容されていると想定されるので、その条件を後段の情報検索の前提条件として利用するため、その条件を情報検索装置に受け渡し、情報検索装置は、その条件の元で条件検索を行い、条件検索の際の母集団の絞込みや検索結果のランキングに利用する。
【００３８】
前記否定型情報検索移行の場合、情報配信装置で情報コンテンツを選別したときの条件（ジャンル、キーワードなど）は利用者に受容されていないと想定されるので、その条件を後段の情報検索の前提条件として利用するため、その条件を情報検索装置に受け渡し、情報検索装置は、条件検索の際に母集団から、当該条件に当てはまらないものを絞り込んだり、検索結果のランキングの際に、当該条件に当てはまらないものを上位にランキングしたりして当該条件を利用する。
【００３９】
上記の実施形態の情報配信・情報検索連携装置は一つの機器として構成されてもよいが、インターネット、ＬＡＮ等のネットワークを介して、その機能が適宜分離されて設けられてもよい。例えば、情報配信コンテンツ選別部１、情報配信コンテンツ条件保持部２、提供コンテンツ母集団３を記録する記録部、情報配信コンテンツ選別条件保持部９、情報検索コンテンツ選別部７をサーバ側に設け、情報提示・利用者入力受付部４、配信情報肯定・否定判断部５、配信コンテンツ条件伝達部６、利用者入力装置８を通信端末側に設け、サーバと通信端末をインターネット、ＬＡＮ等のネットワークで接続したシステムとしても良い。
【００４０】
また本実施形態の情報配信・情報検索連携装置はコンピュータを用いてソフトウエアを用いて実現されてもよい。
【００４１】
図４は本実施形態の情報配信・情報検索連携装置を構成するコンピュータの一構成例を示すブロック図である。
【００４２】
図１の構成の動作、図３のフローチャートに示した動作を記述したプログラムをハードディスク装置等のディスク装置１６やＲＯＭ等の記憶装置（ここではディスク装置を示している）に記憶し、また提供コンテンツ母集団をディスク装置１６やＲＯＭ等の記憶装置に記憶する。ＣＰＵ１４により情報配信・情報検索連携装置の機能（提供コンテンツ母集団を記録する記録部、コンテンツ表示部、利用者入力装置を除く）を実現するプログラムが実行される。入力装置１１は利用者入力装置に対応し、キーボード等の入力デバイスとなる。ＬＣＤ等の表示装置１２はコンテンツ表示部に対応する。１３はデータバス等のバス、１５はＣＰＵ１４の情報処理に必要な情報を記憶するＤＲＡＭ等のメモリを示す。
【図面の簡単な説明】
【００４３】
【図１】本発明の情報配信・情報検索連携装置の一実施の形態を表すブロック図である。
【図２】コンテンツ表示部４１の表示例と、肯定型情報検索移行・否定型情報検索移行との関係を示す図である。
【図３】本実施形態の情報配信・情報検索連携装置の動作を示すフローチャートである。
【図４】本実施形態の情報配信・情報検索連携装置を構成するコンピュータの一構成例を示すブロック図である。
【符号の説明】
【００４４】
１  情報配信コンテンツ選別部
２  情報配信コンテンツ条件保持部
３  提供コンテンツ母集団
４  情報提示・利用者入力受付部
５  配信情報肯定・否定判断部  
６  配信コンテンツ条件伝達部
７  情報検索コンテンツ選別部
８  利用者入力装置
９  情報配信コンテンツ選別条件保持部
４１  コンテンツ表示部
４２  選択肢選択部
４３  検索条件入力部
【図１】
2009134557.tif 000003
【図２】
2009134557.tif 000004
【図３】
2009134557.tif 000005
【図４】
2009134557.tif 000006